(57)【特許請求の範囲】
【請求項１】
上スラブの下面側に構築した吊り天井構造体と、下スラブの上面側に構築したフロア構造体との間に、制振機能を備えたパネル構造体を設置して、前記吊り天井構造体の横揺れを抑制してなる吊り天井構造体の制振装置であって、
前記パネル構造体は、前記吊り天井構造体の下面に取付けた天レールと前記フロア構造体の上面に取付けた地レールとの間に所定間隔を隔てて立設した一対の支柱間の表裏両面にそれぞれパネル板を装着し、表裏のパネル板間の空間において、両支柱の下端間を下部ブラケットで連結し、両支柱の上部間を上部ブラケットで連結するとともに、両支柱に対して直接的又は間接的に連結したＸ字状ブレースで高剛性化し、前記下部ブラケットを前記地レールとともにフロア構造体に固定し、前記支柱の上端を前記天レールに対して面内変位可能に保持するとともに、前記上部ブラケットと天レールとを粘弾性ダンパーで連結してなることを特徴とする吊り天井構造体の制振装置。
【請求項２】
前記下部ブラケットは、前記地レールに沿って配置し、該地レールに固定する水平部と、該水平部の両端に上方へ立ち上がり、前記支柱の下端側面に連結する垂直部を備えている請求項１記載の吊り天井構造体の制振装置。
【請求項３】
前記地レールは、上方開放した凹溝を有する断面略コ字形の長尺部材であり、前記下部ブラケットの水平部は、前記地レールの凹溝内に嵌合する形状である請求項２記載の吊り天井構造体の制振装置。
【請求項４】
前記Ｘ字状ブレースは、２本のブレースの中央交差部で連結するとともに、両ブレースの上端を、前記上部ブラケットの両端部に連結するとともに、両ブレースの下端を、支柱ブラケットを介して前記支柱の下部に連結してなる請求項１〜３何れか１項に記載の吊り天井構造体の制振装置。
【請求項５】
前記粘弾性ダンパーは、下方へ延びた第１構成板と上方へ延びた第２構成板の重合部間に粘弾性体を接着した構造であり、前記第１構成板の下部を前記上部ブラケットに取付けるとともに、前記第２構成板の上部を、前記天レールに固定した天ブラケットに取付けてなる請求項１〜４何れか１項に記載の吊り天井構造体の制振装置。
【請求項６】
前記請求項１〜５何れか１項に記載の吊り天井構造体の制振装置を一部に設けたことを特徴とする耐震性間仕切装置。
【請求項７】
間隔を隔てて設けた両支柱の下端間を連結するとともに、地レールに固定する下部ブラケットと、両支柱の上部間を連結する上部ブラケットと、両支柱の下部に取付ける支柱ブラケットと、上端を前記上部ブラケットの両端部に連結するとともに、下端を前記支柱ブラケットにそれぞれ連結するＸ字状ブレースと、天レールに固定する天ブラケットと、前記上部ブラケットと天ブラケットとを連結する粘弾性ダンパーと、からなる制振ユニット。
【発明の詳細な説明】
【技術分野】
【０００１】
本発明は、吊り天井構造体の制振装置及び耐震性間仕切装置に係わり、更に詳しくは非耐震性の吊り天井構造体とフロア構造体間に設置して地震時における吊り天井構造体の振動を抑制する制振装置及び耐震性間仕切装置に関するものである。
【背景技術】
【０００２】
通常、オフィスビル等は、複数のスラブで各階が形成され、上スラブの下面側には吊り天井構造体が構築され、下スラブの上面側にはフロア構造体が構築され、構造壁で囲まれた空間を間仕切装置で適宜に区画されている。通常、吊り天井構造体は、上スラブから垂下した吊支部材（吊りボルト）によって、縦横に張り巡らした天井支持レールを吊下げ状に保持し、該天井支持レールに天井パネルの周囲を係止する、若しくは天井支持レールに天井パネルをネジ止めする構造である。このような吊り天井構造体を有する室内に天井パネルからフロア構造体にわたって、間仕切パネルやドアパネルを組み合わせた間仕切装置を設置する。ここで、間仕切パネルは、天井パネルの下面側で天井支持レールを利用して固定した天レールと、フロア構造体の上面に敷設した地レールとの間に、複数の支柱を立設するとともに、隣接する支柱間にパネル板を装着して構成する。
【０００３】
従来、吊り天井構造体に対する耐震基準はなく、東日本大震災によって多くの吊り天井構造体が落下し、破損したことを受けて、天井の耐震性を高める機運が高まっている。従来の吊り天井構造体は、天井支持レール及び天井パネルの端部が建物の構造壁面と殆ど隙間なく接しており、建物が地震で変形した際に、天井支持レール及び天井パネルの端部が壁面に激しく衝突して破損するとともに、吊り天井構造体の水平方向変位も大きく、そのため吊り天井構造体の下に設けた間仕切パネルも端部が損傷する。特に、長周期振動による共振現象によって吊り天井構造体が水平方向に大きく変位し、あるいは建物のスラブや壁面とは異なる挙動をすることにより被害が拡大していた。因みに、体育館や劇場等の大型建築物の吊り天井構造体に対しては、吊りボルトにブレースを設けて耐震性を高めるとともに、壁や柱等の構造体と吊り天井構造体との間にクリアランスを設けて天井パネルの端部の破損を防止する等の耐震基準が提案されている。そして、新耐震基準では、層間変位角が１／４０、震度７、天井面加速度が２．２Ｇに耐えることが要求されている。
【０００４】
新設の建築物では、最初から耐震性の吊り天井構造体を構築し、耐震性の吊り天井構造体とフロア構造体との間に耐震性間仕切装置を設置することが理想的である。既設の耐震性能が不足している吊り天井構造体の場合でも、天井裏に入ってブレース等を追加する耐震補強工事を施すことができればよいが、そのような耐震補強工事が困難である場合も多い。
【０００５】
建築物の耐震性を高める工夫は各種提供されている。例えば、特許文献１には、建築物の柱間に設ける耐力壁に、縦フレームと横フレームからなる枠体を設け、該枠体により囲まれる空間に設けた複数のブレース間を低降伏点鋼で連結し、地震時に低降伏点鋼が塑性変形して地震エネルギーを吸収して建築物全体の倒壊を防止する構造が開示されている。ここで、複数のブレースでＸ字状ブレースを構成する点も開示されている。
【０００６】
また、特許文献２には、２×４住宅の横架材と床組部材との間に一対の縦軸材を設け、一対の縦軸材のそれぞれに引抜防止具を介して横軸材を結合し、上下の横軸材は横架材と床組部材にそれぞれ接合一体化し、これら縦軸材と横軸材で囲まれる部分に設ける面材を、制震部材を介して縦軸材に取付けた制震構造が開示されている。ここで、制震部材は、縦軸材に取付けられた軸材取付部と、面材に取付けられた面材取付部と、それらの間に設けられた粘弾性体からなる制震ダンパーとで構成されている。
【０００７】
更に、特許文献３、４には、金属板間を粘弾性体で連結した構造の粘弾性ダンパーが開示され、それを建築物の構造材間に配置して、建築物の振動を抑制する構造が開示されている。
【０００８】
しかし、これらの特許文献に記載されたものは、何れも建築物の柱や梁あるいはスラブに制振構造体を固定して、建築物自体の耐震性を高めるというものであり、吊り天井構造体の横揺れを抑制するという発想ではない。
【先行技術文献】
【特許文献】
【０００９】
【特許文献１】特開２００１−１４０３４３号公報
【特許文献２】特開２００９−００７８６８号公報
【特許文献３】特開平０６−２１２８３３号公報
【特許文献４】特開平１０−２３１６４０号公報
【発明の概要】
【発明が解決しようとする課題】
【００１０】
そこで、本発明が前述の状況に鑑み、解決しようとするところは、耐震性能が不足している吊り天井構造体とフロア構造体との間に設置し、地震時における吊り天井構造体の振動を抑制して該吊り天井構造体の損壊を防止する機能を備えた吊り天井構造体の制振装置及び耐震性間仕切装置を提供する点にある。
【課題を解決するための手段】
【００１１】
本発明は、前述の課題解決のために、以下の吊り天井構造体の制振装置及び耐震性間仕切装置を構成した。
【００１２】
（１）上スラブの下面側に構築した吊り天井構造体と、下スラブの上面側に構築したフロア構造体との間に、制振機能を備えたパネル構造体を設置して、前記吊り天井構造体の横揺れを抑制してなる吊り天井構造体の制振装置であって、前記パネル構造体は、前記吊り天井構造体の下面に取付けた天レールと前記フロア構造体の上面に取付けた地レールとの間に所定間隔を隔てて立設した一対の支柱間の表裏両面にそれぞれパネル板を装着し、表裏のパネル板間の空間において、両支柱の下端間を下部ブラケットで連結し、両支柱の上部間を上部ブラケットで連結するとともに、両支柱に対して直接的又は間接的に連結したＸ字状ブレースで高剛性化し、前記下部ブラケットを前記地レールとともにフロア構造体に固定し、前記支柱の上端を前記天レールに対して面内変位可能に保持するとともに、前記上部ブラケットと天レールとを粘弾性ダンパーで連結してなることを特徴とする吊り天井構造体の制振装置。
【００１３】
（２）前記下部ブラケットは、前記地レールに沿って配置し、該地レールに固定する水平部と、該水平部の両端に上方へ立ち上がり、前記支柱の下端側面に連結する垂直部を備えている（１）記載の吊り天井構造体の制振装置。
【００１４】
（３）前記地レールは、上方開放した凹溝を有する断面略コ字形の長尺部材であり、前記下部ブラケットの水平部は、前記地レールの凹溝内に嵌合する形状である（２）記載の吊り天井構造体の制振装置。
【００１５】
（４）前記Ｘ字状ブレースは、２本のブレースの中央交差部で連結するとともに、両ブレースの上端を、前記上部ブラケットの両端部に連結するとともに、両ブレースの下端を、支柱ブラケットを介して前記支柱の下部に連結してなる（１）〜（３）何れか１に記載の吊り天井構造体の制振装置。
【００１６】
（５）前記粘弾性ダンパーは、下方へ延びた第１構成板と上方へ延びた第２構成板の重合部間に粘弾性体を接着した構造であり、前記第１構成板の下部を前記上部ブラケットに取付けるとともに、前記第２構成板の上部を、前記天レールに固定した天ブラケットに取付けてなる（１）〜（４）何れか１に記載の吊り天井構造体の制振装置。
【００１７】
（６）前記（１）〜（５）何れか１に記載の吊り天井構造体の制振装置を一部に設けたことを特徴とする耐震性間仕切装置。
【００１８】
（７）間隔を隔てて設けた両支柱の下端間を連結するとともに、地レールに固定する下部ブラケットと、両支柱の上部間を連結する上部ブラケットと、両支柱の下部に取付ける支柱ブラケットと、上端を前記上部ブラケットの両端部に連結するとともに、下端を前記支柱ブラケットにそれぞれ連結するＸ字状ブレースと、天レールに固定する天ブラケットと、前記上部ブラケットと天ブラケットとを連結する粘弾性ダンパーと、からなる制振ユニット。
【発明の効果】
【００１９】
以上にしてなる本発明の吊り天井構造体の制振装置によれば、支柱間の剛性が高くなり、地震によって建築物に大きな層間変位や横揺れが発生しても、吊り天井構造体の横揺れを上部ブラケットと天レール間に設けた粘弾性ダンパーにより抑制して吊り天井構造体の損壊を防止することができ、しかも吊り天井構造体より下方での処理であるのでどのような天井構造でも施工が可能である。更に、吊り天井構造体の横揺れを抑制できるので、吊り天井構造体とフロア構造体との間に設けた間仕切パネルの損傷も防止できる。
【００２０】
支柱の下端部間に連結した下部ブラケットを、地レールとともにフロア構造体に固定することにより、特に下部ブラケットの水平部を、前記地レールに沿って配置して固定すること、更には下部ブラケットの水平部を、地レールの凹溝内に嵌合状態で固定することにより、地レールをより強固に補強することができる。また、下部ブラケットの垂直部を支柱の下端側面に連結することにより、地震時に支柱の浮き上がりを防止できる。また、下部ブラケットは、既設の支柱間に落とし込み施工できるので、施工が容易になる。
【００２１】
吊り天井構造体の高さに応じて長さが異なるＸ字状ブレースを用意すれば、どのような施工状況でも容易に対応できる。
【００２２】
上部ブラケットと天レール間に、天ブラケットを介して粘弾性ダンパーを連結するので、前記天ブラケットに対する粘弾性ダンパーの第２構成板の取付位置を調節することにより、高さ誤差を微調整することができ、どのような状況でも常に設計どおりの一定のダンパー効果を期待できる。
【００２３】
吊り天井構造体の制振装置を間仕切装置の一部に設けることにより、吊り天井構造体の耐震性を高めることができるばかりでなく、間仕切装置自体の耐震性も高めることができる。
【００２４】
下部ブラケットと、上部ブラケットと、支柱ブラケットと、Ｘ字状ブレースと、天ブラケット及び粘弾性ダンパーとからなる制振ユニットを用いることにより、既設の間仕切装置の支柱間に取付けて吊り天井構造体及び間仕切装置の耐震性も高めることができる。
【図面の簡単な説明】
【００２５】
【図１】本発明の吊り天井構造体の制振装置を示す省略正面図である。
【図２】吊り天井構造体の制振装置の下部構造を示す分解斜視図である。
【図３】吊り天井構造体の制振装置の上部構造を示す分解斜視図である。
【図４】吊り天井構造体の制振装置の下部構造を示す部分縦断正面図である。
【図５】吊り天井構造体の制振装置の上部構造を示す部分縦断正面図である。
【図６】粘弾性ダンパーの構造を示す分解斜視図である。
【図７】パネル板を示す一部省略斜視図である。
【図８】上部ブラケットとパネル板の支持金具の関係を示す部分斜視図である。
【図９】同じく上部ブラケットとパネル板の支持金具の関係を示す部分斜視図である。
【発明を実施するための形態】
【００２６】
次に、添付図面に示した実施形態に基づき、本発明を更に詳細に説明する。図１〜図５は本発明に係る吊り天井構造体の制振装置の実施形態を示し、図６は粘弾性ダンパーを示し、図７はパネル板を示し、図中符号１は吊り天井構造体、２はフロア構造体、３はパネル構造体、４は天レール、５は地レール、６は支柱、７はパネル板、８は下部ブラケット、９は上部ブラケット、１０はＸ字状ブレース、１１は粘弾性ダンパーをそれぞれ示している。
【００２７】
本発明の吊り天井構造体の制振装置は、建築物の上スラブの下面側に構築した耐震性能が不足している吊り天井構造体１と、下スラブの上面側に構築したフロア構造体２との間に、制振機能を備えたパネル構造体３を設置して、前記吊り天井構造体１の横揺れを抑制することを特徴としている。この場合、地震による横揺れの方向が定まっていないため、前記パネル構造体３によって、少なくとも直交する２方向を含む異なる方向に対して制振機能を付与することが必要である。本発明において「スラブ」とは、コンクリートスラブや鉄骨スラブを含む広い概念で使用している。
【００２８】
前記吊り天井構造体１は、新基準の耐震性を備えていないことを前提とするが、高耐震性を備えているものであっても良い。新基準の耐震性を備えている高耐震性の吊り天井構造体は、図示しないが、上スラブから垂下した複数の吊支部材によって、縦横に張り巡らした天井支持レールを吊下げ状に保持し、隣接する吊支部材間にクロス状にブレースを設けて強度を高め、前記天井支持レールで天井パネルを支持した構造である。本発明において、耐震性能が不足している吊り天井構造体とは、クロス状のブレース等の耐震補強がされてない従来構造のものである。
【００２９】
前記吊り天井構造体１とフロア構造体２との間にパネル構造体３を設ける場合、図１〜図５に示すように、前記吊り天井構造体１の下面に取付けた天レール４と前記フロア構造体２の上面に取付けた地レール５との間に、間隔を隔てて一対の支柱６，…を立設するとともに、支柱６，６間の表裏両面にパネル板７，７を装着して構成する。尚、前記パネル板７は、前記支柱６，６間の表面側の片面のみであっても良い。そして、両支柱６，６間には補強用の下部ブラケット８、上部ブラケット９及びＸ字状ブレース１０が連結されて剛性を高めたフレーム構造とする。そして、前記上部ブラケット９と天レール４間に粘弾性ダンパー１１を連結して、前記吊り天井構造体１の振動エネルギーを粘弾性ダンパー１１で吸収して横揺れを抑制するのである。
【００３０】
次に、前記パネル構造体３の具体例を図１〜５に基づいて説明する。前記パネル構造体３は、前記吊り天井構造体１の下面に取付けた天レール４と前記フロア構造体２の上面に取付けた地レール５との間に所定間隔を隔てて立設した一対の支柱６，６間の表裏両面にそれぞれパネル板７，７を装着し、表裏のパネル板７，７間の空間において、両支柱６，６の下端間を下部ブラケット８で連結し、両支柱６，６の上部間を上部ブラケット９で連結するとともに、両支柱６，６に対して直接的又は間接的に連結したＸ字状ブレース１０で高剛性化し、前記下部ブラケット８を前記地レール５とともにフロア構造体２に固定し、前記支柱６の上端を前記天レール４に対して面内変位可能に保持するとともに、前記上部ブラケット９と天レール４とを粘弾性ダンパー１１で連結してなる構造である。
【００３１】
具体的には、前記下部ブラケット８は、前記地レール５に沿って配置し、該地レール５に固定する水平部１２と、該水平部１２の両端に上方へ立ち上がり、前記支柱６の下端側面に連結する垂直部１３，１３を備えている。そして、前記地レール５は、上方開放した凹溝１４を有する断面略コ字形の長尺部材であり、前記下部ブラケット８の水平部１２は、前記地レール５の凹溝１４内に嵌合する形状である。
【００３２】
そして、前記Ｘ字状ブレース１０は、２本のブレース１５，１５の中央交差部で連結するとともに、両ブレース１５，１５の上端を、前記上部ブラケット９の両端部に連結するとともに、両ブレース１５，１５の下端を、支柱ブラケット１６を介して前記支柱６の下部に連結している。
【００３３】
前記粘弾性ダンパー１１は、図１、図３、図５及び図６に示すように、下方へ延びた第１構成板１７と上方へ延びた第２構成板１８の重合部間に粘弾性体１９を接着した構造である。前記粘弾性ダンパー１１は、前記第１構成板１７の下部を前記上部ブラケット９に取付けるとともに、前記第２構成板１８の上部を、前記天レール４に固定した天ブラケット２０に取付ける。
【００３４】
前記吊り天井構造体１、即ち天レール４と、前記フロア構造体２に固定されたパネル構造体３、即ち上部ブラケット９との間で、地震によりパネル面内方向で相対変位が生じた場合、前記粘弾性体１９の変形によって振動エネルギーを吸収するのである。つまり、地震による横揺れによって上下スラブに層間変位が生じるが、その際に吊り天井構造体１に対して、剛性の高いパネル構造体３が水平方向に変位して粘弾性ダンパー１１の粘弾性体１９を変形し、横揺れのエネルギーを吸収する。その結果、吊り天井構造体１の横揺れを抑制し、損傷や崩落を防止することができるのである。
【００３５】
更に詳しくは、前記天レール４は、図３に示すように、下方開放した凹溝２１を有する断面略コ字形の長尺部材であり、図１に示すように、前記吊り天井構造体１を構成する天井支持レール２２にネジ止め固定されている。前記支柱６は、断面略四角形のＣ字形部材で構成し、内部に逆向きにした断面略四角形のＣ字形部材からなる補強材２３を嵌合して、高い強度を持たせている。そして、前記支柱６の下端には、図１、図２及び図４に示すように、高さ調整機能を有するアジャスター２４が取付けられ、該アジャスター２４を前記地レール５の凹溝１４内に嵌合状態で載支している。また、前記支柱６の上端には、図１、図３及び図５に示すように、高さ調節可能に天支持部材２５を収容し、パネル面外方向の変位を規制し、パネル面内方向の変位を許容した状態で支持されている。
【００３６】
前記下部ブラケット８は、図１、図２及び図４に示すように、前記地レール５の凹部１４内に密嵌する横幅を有し、該地レール５と同様に情報開放した断面略コ字形の水平部１２を有し、該水平部１２の両端に垂直部１３を立上げ形成した構造である。前記垂直部１３は、平面視略コ字形であり、前記水平部１２の一方の側壁板から連続して折曲形成され、垂直部１３の他方の端部は前記水平部１２の他方の側壁板に溶接して強度を高めている。前記垂直部１３の上部には、前記支柱６の側面に接合し、ネジ止めするための取付板２６を有し、該取付板２６の下方は切り欠いて、前記アジャスター２４を逃がすための退避部２７となっている。前記下部ブラケット８は、両側に前記支柱６，６が立設した状態でも、両支柱６，６間に上方から落とし込んで取り付けることができるようになっている。前記下部ブラケット８の水平部１２を前記地レール５の凹部１４内に嵌合した状態で、多数のネジ２８，…で前記地レール５とともにフロア構造体２に固定している。例えば、水平部１２の両端部では、長手方向に６０ｍｍ間隔で５ヶ所に、幅方向に２ヶ所、合計１０本のネジ２８，…で固定するとともに、中央部は中心線に沿って３カ所をネジ２８，…で固定し、地レール５の補強を兼ねてフロア構造体２に強固に固定している。そして、前記垂直部１３の取付板２６を前記支柱６の下端部側面に接合した状態で、前記支柱６にアジャスター２４の受部材２９とともに、前記取付板２６を４ヶ所でネジ３０，…を用いて連結している。尚、前記フロア構造体２がアクセスフロアでなく、配線可能な空間が存在しない構造の場合には、アンカーボルトで直接床面に固定する。ここで、本実施形態においてしようするネジは、主にタッピングネジであり、孔にはタップを切ってない。
【００３７】
前記上部ブラケット９は、図１、図３及び図５に示すように、垂直方向を向く基板３１の上縁を直角に折曲して補強縁３２を形成するとともに、該基板３１の両端縁を直角に折曲して連結板３３，３３を形成した構造である。そして、前記上部ブラケット９の基板３１をパネル構造体３の厚さ方向の略中央に配し、前記連結板３３，３３を両支柱６，６の上部内面間にネジ３４，…で連結する。ここで、前記パネル板７を係止するために前記支柱６の側面に係止具３５を取付けるための切欠部３６，３６を前記連結板３３の上下に形成している。
【００３８】
前記Ｘ字状ブレース１０は、断面略コ字形の２本のブレース１５，１５の中央交差部の中央をネジ３７で連結した構造であり、出荷時には２本の２本のブレース１５，１５を平行に畳んだ状態にできるようになっている。各ブレース１５の上下端部には長手方向に間隔を置いて複数の取付孔３８，…が形成されている。ここで、前記取付孔３８，…は、円孔と長手方向に延びた長孔とを組み合わせて形成されている。前記Ｘ字状ブレース１０は、両ブレース１５，１５の上端を、前記上部ブラケット９の両端部に連結するとともに、両ブレース１５，１５の下端を、前記支柱６，６の下部に固定した前記支柱ブラケット１６，１６に連結した後、中央部の前記ネジ３７を強く締め付けるとともに、その上下位置でもネジ３９，３９で強固に連結する。
【００３９】
前記上部ブラケット９の両端部に形成した下方への膨出部４０，４０に、前記Ｘ字状ブレース１０の上端部をネジ４１で連結するために、複数の取付孔４２，…が上下に間隔を置いて形成されている。前記取付孔４２，…も円孔と横長の長孔とを組み合わせて形成されている。そして、前記上部ブラケット９の基板３１の両端部に前記Ｘ字状ブレース１０の各ブレース１５，１５の上端部を重合し、前記ブレース１５の取付孔３８，…と前記上部ブラケット９の取付孔４２，…が交差して形成された複数対の孔を使って前記ネジ４１を螺合する。
【００４０】
一方、前記支柱ブラケット１６は、図１、図２及び図４に示すように、垂直方向を向く支持板４３の左右一端縁に、交互に反対向きに直角に連結板４４，４４を折曲形成した構造である。そして、前記連結板４４，４４を前記支柱６の下部内面に接合状態でネジ４５，…で連結する。この場合も中央部の連結板４４に、前記係止具３５を支柱６に取付けるための切欠部４６を形成している。尚、前記係止具３５を支柱６に取付ける位置によっては、前記切欠部４６を利用しない場合もある。そして、前記支柱ブラケット１６の支持板４３には、前記取付孔４２，…と同様に円孔と横長の長孔の組み合わせからなる取付孔４７，…を上下に複数形成している。尚、前記支柱ブラケット１６は、左右で反転して使用できるようにするため、上下中央水平線に対して鏡像対称形としている。そして、前記支柱６に取付けた各支柱ブラケット１６の支持板４３に、前記Ｘ字状ブレース１０の各ブレース１５，１５の下端部を重合し、前記ブレース１５の取付孔３８，…と前記支柱ブラケット１６の取付孔４７，…が交差して形成された複数対の孔を使って前記ネジ４８を螺合する。このように、異なる方向に延びた長孔を利用することにより、部材の寸法誤差や施工誤差を吸収して、確実に連結することができ、それにより強固な剛体構造を実現できる。
【００４１】
前記天ブラケット２０は、図１、図３及び図５に示すように、垂直方向に向く取付板４９の上縁を直角に折曲して連結板５０を形成し、該連結板５０には前記天レール４の凹溝２１内の底面に接合して該天レール４にネジ５１，…にて固定するための通孔５２，…が多数形成され、また前記取付板４９の下部には前記粘弾性ダンパー１１の第２構成板１８を取付けるための取付孔５３，…が水平方向に４カ所形成した構造である。一方、前記上部ブラケット９の基板３１の中央部の間隔を置いた２カ所には、前記粘弾性ダンパー１１の第１構成板１７を取付けるための上下方向に延びた長孔５４，…を上下に位置をずらせて４つずつ形成している。
【００４２】
そして、前記粘弾性ダンパー１１の第１構成板１７の下部には、前記長孔５４，…と対応させて複数の通孔５５，…を形成している。前記第２構成板１８は、前記第１構成板１７を上下反転させて使うため、前記通孔５５，…を第２構成板１８にも形成している。前記通孔５５，…は、前記天ブラケット２０の取付孔５３，…にも対応するので、両方に対応する位置に多く形成している。前記天レール４と前記上部ブラケット９との間隔は一定ではなく、その寸法誤差若しくは施工誤差を吸収することができるように、前記長孔５４，…と通孔５５，…が設けられている。そして、前記天レール４に取付けた前記天ブラケット２０の取付板４９に、前記粘弾性ダンパー１１の第２構成板１８の上部を接合させた状態で、前記取付孔５３，…と通孔５５，…を用いてネジ５６，…で連結するとともに、前記第１構成板１７の下部を前記上部ブラケット９の基板３１に接合させた状態で、前記長孔５４，…と通孔５５，…を用いてネジ５６，…で連結する。
【００４３】
前記パネル板７は、その背面側の両側縁に形成した裏板５８，５８に、上下方向に所定間隔で係止孔５９，…をそれぞれ形成している。そして、前記支柱６の側面に前記係止具３５をネジ止めし、該係止具３５の両端部に形成した上向きフック６０，６０に前記パネル板７の係止孔５９を係止して、該パネル板７を支持するのである。前記係止具３５の支柱６へ取付位置は、通常下端部から５０ｃｍピッチであり、最上段の位置から下方へ１００〜１５０ｍｍの位置にも取付ける。この上から２番目の係止具３５の取付位置に応じて、図８に示すように、前記上部ブラケット９の上側の切欠部３６の位置になるか、図９に示すように、前記上部ブラケット９の下側の切欠部３６の位置になるか選択する。
【００４４】
このように、特定の両支柱６，６間に下部ブラケット８と上部ブラケット９を連結するとともに、下部ブラケット８を地レール５とフロア構造体２に固定し、更にＸ字状ブレース１０で強固に連結して高剛性化し、それから上部ブラケット９と天レール４間に天ブラケット２０を介して粘弾性ダンパー１１を取付け、それらの表裏両面にパネル板７，７を装着することによって、制振機能を備えたパネル構造体３が構成される。このパネル構造体３に隣接する両側若しくは片側には通常構造の間仕切パネルが連続して、室内を所望レイアウトで区画する。本実施形態では、前記Ｘ字状ブレース１０の両ブレース１５，１５の下端を、前記支柱ブラケット１６を介してそれぞれ支柱６に連結したが、前記下部ブラケット８の垂直部１３，１３に前記支柱ブラケット１６の機能を持たせて、該支柱ブラケット１６を省略することも可能であるが、本実施形態では施工性を考慮して別部材で構成した。
【符号の説明】
【００４５】
１  吊り天井構造体、        ２  フロア構造体、
３  中間構造物、            ４  天レール、
５  地レール、              ６  支柱、
７  パネル板、              ８  下部ブラケット、
９  上部ブラケット、        １０  Ｘ字状ブレース、
１１  粘弾性ダンパー、      １２  水平部、
１３  垂直部、              １４  凹溝、
１５  ブレース、            １６  支柱ブラケット、
１７  第１構成板、          １８  第２構成板、
１９  粘弾性体、            ２０  天ブラケット、
２１  凹溝、                ２２  天井支持レール、
２３  補強材、              ２４  アジャスター、
２５  天支持部材、          ２６  取付板、
２７  退避部、              ２８  ネジ、
２９  受部材、              ３０  ネジ、
３１  基板、                ３２  補強縁、
３３  連結板、              ３４  ネジ、
３５  係止具、              ３６  切欠部、
３７  ネジ、                ３８  取付孔、
３９  ネジ、                ４０  膨出部、
４１  ネジ、                ４２  取付孔、
４３  支持板、              ４４  連結板、
４５  ネジ、                ４６  切欠部、
４７  取付孔、              ４８  ネジ、
４９  取付板、              ５０  連結板、
５１  ネジ、                ５２  通孔、
５３  取付孔、              ５４  長孔、
５５  通孔、                ５６  ネジ、
５８  裏板、                ５９  係止孔、
６０  上向きフック。
【図１】
0006658061.tif 000002
【図２】
0006658061.tif 000003
【図３】
0006658061.tif 000004
【図４】
0006658061.tif 000005
【図５】
0006658061.tif 000006
【図６】
0006658061.tif 000007
【図７】
0006658061.tif 000008
【図８】
0006658061.tif 000009
【図９】
0006658061.tif 000010